(57)【特許請求の範囲】
【請求項１】
ベースマシンの前部に設けられたリーダを起伏シリンダにより起伏可能に支持した杭打機の前記リーダ及び起伏シリンダを他の仕様のリーダ及び起伏シリンダに組み換える方法において、前記リーダを、前記ベースマシンの前部に取り付けられた下部リーダと、該下部リーダの上部に連結されるとともに前記ベースマシンの前部に回動可能に設けられた中間リーダと、該中間リーダの上部に連結されるとともに前記起伏シリンダの連結部を有する上部リーダとに分割形成し、ベースマシンに設置したシリンダサポートにより前記起伏シリンダを支持し、下部リーダの上端部と中間リーダの下端部とをリーダサポートを介して連結し、下部リーダによって中間リーダを傾斜状態で支持して上部リーダの交換と起伏シリンダの交換とを行うことを特徴とする杭打機のリーダ組換方法。
【請求項２】
ベースマシンの前部に設けられたリーダを起伏シリンダにより起伏可能に支持した杭打機の前記リーダ及び起伏シリンダを他の仕様のリーダ及び起伏シリンダに組み換える方法において、前記リーダを、前記ベースマシンの前部に取り付けられた下部リーダと、該下部リーダの上部に連結されるとともに前記ベースマシンの前部に回動可能に設けられた中間リーダと、該中間リーダの上部に連結されるとともに前記起伏シリンダの連結部を有する上部リーダとに分割形成し、前記リーダに昇降可能に設けられたオーガを下部リーダまで下降させる段階と、前記下部リーダと中間リーダとの連結状態を解除する段階と、前記ベースマシンにシリンダサポートを設置する段階と、前記起伏シリンダを短縮させて該起伏シリンダと共に連結状態の中間リーダ及び上部リーダをベースマシンの上方に倒伏させ、前記シリンダサポートが起伏シリンダを受けるまで起伏シリンダを短縮させ、短縮した状態の起伏シリンダをシリンダサポートにて支持する段階と、中間リーダがベースマシンの上方に倒伏することにより中間リーダの下端部から分離した下部リーダの上端部に中間リーダを傾斜状態で支持するリーダサポートを取り付ける段階と、起伏シリンダの短縮によりベースマシンの上方に倒伏した連結状態の中間リーダ及び上部リーダを吊り上げた状態で起伏シリンダと上部リーダとの連結を解除する段階と、連結状態の中間リーダ及び上部リーダを吊り上げて起立方向に回動させて下部リーダの上端部と中間リーダの下端部とをリーダサポートにより連結して中間リーダ及び上部リーダを下部リーダによって傾斜状態で支持する段階と、中間リーダと上部リーダとの連結を解除して上部リーダを吊り上げて取り外す段階と、前記起伏シリンダを吊り上げてベースマシンから取り外す段階と、他の仕様の起伏シリンダを吊り込んでベースマシンに取り付けて前記シリンダサポートで支持する段階と、他の仕様の上部リーダを吊り込んで中間リーダに連結する段階と、連結状態の中間リーダ及び他の仕様の上部リーダを吊り上げた状態で中間リーダの下端部とリーダサポートとの連結を解除する段階と、連結状態の中間リーダ及び他の仕様の上部リーダを吊り上げた状態で倒伏方向に回動させて他の仕様の起伏シリンダと他の仕様の上部リーダとを連結する段階と、前記下部リーダの上端部からリーダサポートを取り外す段階と、他の仕様の起伏シリンダを伸張させて連結状態の中間リーダ及び他の仕様の上部リーダを起立させて前記シリンダサポートをベースマシンから取り外す段階と、を含むことを特徴とする杭打機のリーダ組換方法。
【請求項３】
ベースマシンの前部に設けられたリーダを起伏シリンダにより起伏可能に支持した杭打機の前記リーダ及び起伏シリンダを他の仕様のリーダ及び起伏シリンダに組み換える方法において、前記リーダを、前記ベースマシンの前部に取り付けられた下部リーダと、該下部リーダの上部に連結されるとともに前記ベースマシンの前部に回動可能に設けられた中間リーダと、該中間リーダの上部に連結されるとともに前記起伏シリンダの連結部を有する上部リーダとに分割形成し、前記リーダに昇降可能に設けられたオーガを下部リーダまで下降させる段階と、前記下部リーダと中間リーダとの連結状態を解除する段階と、前記ベースマシンにシリンダサポートを設置する段階と、前記起伏シリンダを短縮させて該起伏シリンダと共に連結状態の中間リーダ及び上部リーダをベースマシンの上方に倒伏させ、前記シリンダサポートが起伏シリンダを受けるまで起伏シリンダを短縮させ、短縮した状態の起伏シリンダをシリンダサポートにて支持する段階と、中間リーダがベースマシンの上方に倒伏することにより中間リーダの下端部から分離した下部リーダの上端部に中間リーダを傾斜状態で支持するリーダサポートを取り付ける段階と、起伏シリンダの短縮によりベースマシンの上方に倒伏した連結状態の中間リーダ及び上部リーダを吊り上げた状態で起伏シリンダと上部リーダとの連結を解除する段階と、連結状態の中間リーダ及び上部リーダを吊り上げて起立方向に回動させて下部リーダの上端部と中間リーダの下端部とをリーダサポートにより連結して下部リーダによって中間リーダ及び上部リーダを傾斜状態で支持する段階と、中間リーダと上部リーダとの連結を解除して上部リーダを吊り上げて取り外す段階と、前記起伏シリンダを吊り上げてベースマシンから取り外す段階と、他の仕様の起伏シリンダを吊り込んでベースマシンに取り付けて前記シリンダサポートで支持する段階と、他の仕様の上部リーダを吊り込んで中間リーダに連結する段階と、他の仕様の起伏シリンダを吊り上げて回動させた状態で他の仕様の起伏シリンダと他の仕様の上部リーダとを連結する段階と、シリンダサポートをベースマシンから取り外す段階と、中間リーダの下端部とリーダサポートとの連結を解除する段階と、起伏シリンダを短縮させて連結状態の中間リーダ及び他の仕様の上部リーダを倒伏方向に回動させて下部リーダの上端部からリーダサポートを取り外す段階と、を含むことを特徴とする杭打機のリーダ組換方法。
【請求項４】
ベースマシンの前部に設けられたリーダを起伏シリンダにより起伏可能に支持した杭打機の前記リーダ及び起伏シリンダを他の仕様のリーダ及び起伏シリンダに組み換える方法において、前記リーダを、前記ベースマシンの前部に取り付けられた下部リーダと、該下部リーダの上部に連結されるとともに前記ベースマシンの前部に回動可能に設けられた中間リーダと、該中間リーダの上部に連結されるとともに前記起伏シリンダの連結部を有する上部リーダとに分割形成し、前記リーダに昇降可能に設けられたオーガを下部リーダまで下降させる段階と、前記下部リーダと中間リーダとの連結状態を解除する段階と、前記起伏シリンダを短縮させて該起伏シリンダと共に連結状態の中間リーダ及び上部リーダをベースマシンの上方に倒伏させる段階と、中間リーダがベースマシンの上方に倒伏することにより中間リーダの下端部から分離した下部リーダの上端部に中間リーダを傾斜状態で支持するリーダサポートを取り付ける段階と、起伏シリンダを伸張させて連結状態の中間リーダ及び上部リーダを起立方向に回動させて下部リーダの上端部と中間リーダの下端部とをリーダサポートにより連結して下部リーダによって中間リーダ及び上部リーダを傾斜状態で支持する段階と、前記ベースマシンにシリンダサポートを設置する段階と、起伏シリンダを吊り上げた状態で起伏シリンダと上部リーダとの連結を解除する段階と、起伏シリンダを吊り下げて起伏シリンダをシリンダサポートにて支持する段階と、上部リーダを吊り上げた状態で中間リーダと上部リーダとの連結を解除して上部リーダを取り外す段階と、前記起伏シリンダを吊り上げて取り外す段階と、他の仕様の起伏シリンダを吊り込んでベースマシンに取り付けて前記シリンダサポートで支持する段階と、他の仕様の上部リーダを吊り込んで中間リーダに連結する段階と、連結状態の中間リーダ及び他の仕様の上部リーダを吊り上げた状態で中間リーダの下端部とリーダサポートとの連結を解除する段階と、連結状態の中間リーダ及び他の仕様の上部リーダを吊り上げた状態で倒伏方向に回動させて他の仕様の起伏シリンダと他の仕様の上部リーダとを連結する段階と、前記下部リーダの上端部からリーダサポートを取り外す段階と、他の仕様の起伏シリンダを伸張させて連結状態の中間リーダ及び他の仕様の上部リーダを起立させて前記シリンダサポートをベースマシンから取り外す段階と、を含むことを特徴とする杭打機のリーダ組換方法。
【発明の詳細な説明】
【技術分野】
【０００１】
本発明は、杭打機のリーダ組換方法に関し、詳しくは、杭打機のベースマシンに装着されているリーダを、長尺リーダ（標準リーダ）から短尺リーダへ、あるいはこの逆に組み換える方法に関する。
【背景技術】
【０００２】
一般に、杭打機は、ベースマシンの前部に設けたリーダを起伏シリンダによって起伏可能に支持し、作業時には起伏シリンダを伸長させてリーダをベースマシンの前部に略鉛直状に起立させた状態とし、輸送時には、起伏シリンダを短縮させてリーダを起伏シリンダとともにベースマシン上に倒伏させた状態としていた（例えば、特許文献１参照。）。また、近年では、橋の下や工場内等の高さに制限のある場所で杭打ち作業を行うケースが増えたことから、短尺リーダを備えた杭打機が求められ、ユーザーは、標準的な長尺のリーダ（標準リーダ）を備えた杭打機の他に、短尺リーダを備えた杭打機を別途購入していた（例えば、特許文献２参照。）。
【０００３】
標準リーダを備えた杭打機の他に、短尺リーダを備えた短尺専用の杭打機を別途用意することは、コスト面等の問題が発生するため、標準リーダを備えた杭打機の標準リーダを短尺リーダに組み換えて使用することも可能であるが、杭打機におけるリーダの組み換えは、通常は、オーガを取り外したリーダの一式を着脱して行っている（例えば、特許文献３参照。）。
【特許文献１】特開２００３−４１５８４号公報
【特許文献２】特開２００４−１９２２５号公報
【特許文献３】特開平７−１９７４６０号公報
【発明の開示】
【発明が解決しようとする課題】
【０００４】
しかし、オーガまで取り外してリーダの一式を組み換えるためには、大型のクレーンを必要とし、多大な手間と労力も必要とする。また、リーダを上部リーダと下部リーダとに分割形成し、上部リーダのみを交換して対応することも考えられるが、標準リーダと短尺リーダとでは起伏シリンダの仕様も異なるため、起伏シリンダを交換する際に２台のクレーンが必要になるという問題が発生する。さらに、リーダを起立させた状態で起伏シリンダとリーダとを連結する接続ピンを着脱する場合は、かなりな高所作業となるため、それに見合った高所作業車が必要になり、安全対策も講じておかなければならない。
【０００５】
そこで本発明は、リーダの組み換え作業を１台の比較的小型なクレーンを使用するだけで行うことができ、高所作業車を使用した高所作業も行う必要がない杭打機のリーダ組換方法を提供することを目的としている。
【課題を解決するための手段】
【０００６】
上記目的を達成するため、本発明の杭打機のリーダ組換方法における第１の構成は、ベースマシンの前部に設けられたリーダを起伏シリンダにより起伏可能に支持した杭打機の前記リーダ及び起伏シリンダを他の仕様のリーダ及び起伏シリンダに組み換える方法において、前記リーダを、前記ベースマシンの前部に取り付けられた下部リーダと、該下部リーダの上部に連結されるとともに前記ベースマシンの前部に回動可能に設けられた中間リーダと、該中間リーダの上部に連結されるとともに前記起伏シリンダの連結部を有する上部リーダとに分割形成し、ベースマシンに設置したシリンダサポートにより前記起伏シリンダを支持し、下部リーダの上端部と中間リーダの下端部とをリーダサポートを介して連結し、下部リーダによって中間リーダを傾斜状態で支持して上部リーダの交換と起伏シリンダの交換とを行うことを特徴としている。
【０００７】
本発明の杭打機のリーダ組換方法の第２の構成は、ベースマシンの前部に設けられたリーダを起伏シリンダにより起伏可能に支持した杭打機の前記リーダ及び起伏シリンダを他の仕様のリーダ及び起伏シリンダに組み換える方法において、前記リーダを、前記ベースマシンの前部に取り付けられた下部リーダと、該下部リーダの上部に連結されるとともに前記ベースマシンの前部に回動可能に設けられた中間リーダと、該中間リーダの上部に連結されるとともに前記起伏シリンダの連結部を有する上部リーダとに分割形成し、前記リーダに昇降可能に設けられたオーガを下部リーダまで下降させる段階と、前記下部リーダと中間リーダとの連結状態を解除する段階と、前記ベースマシンにシリンダサポートを設置する段階と、前記起伏シリンダを短縮させて該起伏シリンダと共に連結状態の中間リーダ及び上部リーダをベースマシンの上方に倒伏させ、前記シリンダサポートが起伏シリンダを受けるまで起伏シリンダを短縮させ、短縮した状態の起伏シリンダをシリンダサポートにて支持する段階と、中間リーダがベースマシンの上方に倒伏することにより中間リーダの下端部から分離した下部リーダの上端部に中間リーダを傾斜状態で支持するリーダサポートを取り付ける段階と、起伏シリンダの短縮によりベースマシンの上方に倒伏した連結状態の中間リーダ及び上部リーダを吊り上げた状態で起伏シリンダと上部リーダとの連結を解除する段階と、連結状態の中間リーダ及び上部リーダを吊り上げて起立方向に回動させて下部リーダの上端部と中間リーダの下端部とをリーダサポートにより連結して中間リーダ及び上部リーダを下部リーダによって傾斜状態で支持する段階と、中間リーダと上部リーダとの連結を解除して上部リーダを吊り上げて取り外す段階と、前記起伏シリンダを吊り上げてベースマシンから取り外す段階と、他の仕様の起伏シリンダを吊り込んでベースマシンに取り付けて前記シリンダサポートで支持する段階と、他の仕様の上部リーダを吊り込んで中間リーダに連結する段階と、連結状態の中間リーダ及び他の仕様の上部リーダを吊り上げた状態で中間リーダの下端部とリーダサポートとの連結を解除する段階と、連結状態の中間リーダ及び他の仕様の上部リーダを吊り上げた状態で倒伏方向に回動させて他の仕様の起伏シリンダと他の仕様の上部リーダとを連結する段階と、前記下部リーダの上端部からリーダサポートを取り外す段階と、他の仕様の起伏シリンダを伸張させて連結状態の中間リーダ及び他の仕様の上部リーダを起立させて前記シリンダサポートをベースマシンから取り外す段階とを含むことを特徴としている。
【０００８】
本発明の杭打機のリーダ組換方法の第３の構成は、ベースマシンの前部に設けられたリーダを起伏シリンダにより起伏可能に支持した杭打機の前記リーダ及び起伏シリンダを他の仕様のリーダ及び起伏シリンダに組み換える方法において、前記リーダを、前記ベースマシンの前部に取り付けられた下部リーダと、該下部リーダの上部に連結されるとともに前記ベースマシンの前部に回動可能に設けられた中間リーダと、該中間リーダの上部に連結されるとともに前記起伏シリンダの連結部を有する上部リーダとに分割形成し、前記リーダに昇降可能に設けられたオーガを下部リーダまで下降させる段階と、前記下部リーダと中間リーダとの連結状態を解除する段階と、前記ベースマシンにシリンダサポートを設置する段階と、前記起伏シリンダを短縮させて該起伏シリンダと共に連結状態の中間リーダ及び上部リーダをベースマシンの上方に倒伏させ、前記シリンダサポートが起伏シリンダを受けるまで起伏シリンダを短縮させ、短縮した状態の起伏シリンダをシリンダサポートにて支持する段階と、中間リーダがベースマシンの上方に倒伏することにより中間リーダの下端部から分離した下部リーダの上端部に中間リーダを傾斜状態で支持するリーダサポートを取り付ける段階と、起伏シリンダの短縮によりベースマシンの上方に倒伏した連結状態の中間リーダ及び上部リーダを吊り上げた状態で起伏シリンダと上部リーダとの連結を解除する段階と、連結状態の中間リーダ及び上部リーダを吊り上げて起立方向に回動させて下部リーダの上端部と中間リーダの下端部とをリーダサポートにより連結して下部リーダによって中間リーダ及び上部リーダを傾斜状態で支持する段階と、中間リーダと上部リーダとの連結を解除して上部リーダを吊り上げて取り外す段階と、前記起伏シリンダを吊り上げてベースマシンから取り外す段階と、他の仕様の起伏シリンダを吊り込んでベースマシンに取り付けて前記シリンダサポートで支持する段階と、他の仕様の上部リーダを吊り込んで中間リーダに連結する段階と、他の仕様の起伏シリンダを吊り上げて回動させた状態で他の仕様の起伏シリンダと他の仕様の上部リーダとを連結する段階と、シリンダサポートをベースマシンから取り外す段階と、中間リーダの下端部とリーダサポートとの連結を解除する段階と、起伏シリンダを短縮させて連結状態の中間リーダ及び他の仕様の上部リーダを倒伏方向に回動させて下部リーダの上端部からリーダサポートを取り外す段階とを含むことを特徴としている。
【０００９】
本発明の杭打機のリーダ組換方法の第４の構成は、ベースマシンの前部に設けられたリーダを起伏シリンダにより起伏可能に支持した杭打機の前記リーダ及び起伏シリンダを他の仕様のリーダ及び起伏シリンダに組み換える方法において、前記リーダを、前記ベースマシンの前部に取り付けられた下部リーダと、該下部リーダの上部に連結されるとともに前記ベースマシンの前部に回動可能に設けられた中間リーダと、該中間リーダの上部に連結されるとともに前記起伏シリンダの連結部を有する上部リーダとに分割形成し、前記リーダに昇降可能に設けられたオーガを下部リーダまで下降させる段階と、前記下部リーダと中間リーダとの連結状態を解除する段階と、前記起伏シリンダを短縮させて該起伏シリンダと共に連結状態の中間リーダ及び上部リーダをベースマシンの上方に倒伏させる段階と、中間リーダがベースマシンの上方に倒伏することにより中間リーダの下端部から分離した下部リーダの上端部に中間リーダを傾斜状態で支持するリーダサポートを取り付ける段階と、起伏シリンダを伸張させて連結状態の中間リーダ及び上部リーダを起立方向に回動させて下部リーダの上端部と中間リーダの下端部とをリーダサポートにより連結して下部リーダによって中間リーダ及び上部リーダを傾斜状態で支持する段階と、前記ベースマシンにシリンダサポートを設置する段階と、起伏シリンダを吊り上げた状態で起伏シリンダと上部リーダとの連結を解除する段階と、起伏シリンダを吊り下げて起伏シリンダをシリンダサポートにて支持する段階と、上部リーダを吊り上げた状態で中間リーダと上部リーダとの連結を解除して上部リーダを取り外す段階と、前記起伏シリンダを吊り上げて取り外す段階と、他の仕様の起伏シリンダを吊り込んでベースマシンに取り付けて前記シリンダサポートで支持する段階と、他の仕様の上部リーダを吊り込んで中間リーダに連結する段階と、連結状態の中間リーダ及び他の仕様の上部リーダを吊り上げた状態で中間リーダの下端部とリーダサポートとの連結を解除する段階と、連結状態の中間リーダ及び他の仕様の上部リーダを吊り上げた状態で倒伏方向に回動させて他の仕様の起伏シリンダと他の仕様の上部リーダとを連結する段階と、前記下部リーダの上端部からリーダサポートを取り外す段階と、他の仕様の起伏シリンダを伸張させて連結状態の中間リーダ及び他の仕様の上部リーダを起立させて前記シリンダサポートをベースマシンから取り外す段階とを含むことを特徴としている。
【発明の効果】
【００１０】
本発明の杭打機のリーダ組換方法によれば、上部リーダの交換時にはシリンダサポートで起伏シリンダを支持するので、起伏シリンダとリーダとを連結する接続ピンを外しても、起伏シリンダがベースマシン上に倒れることがなく、接続ピンの着脱を簡単かつ安全に行うことができる。さらに、起伏シリンダをクレーンを使用して交換する際には、組換中の中間リーダをリーダサポートを介して下部リーダにより傾斜状態に支持しておくので、中間リーダを別のクレーンで保持しておく必要がなくなり、１台のクレーンで起伏シリンダの組換作業を行うことができる。特に、起伏シリンダとリーダとを連結する接続ピンの着脱は、起伏シリンダをシリンダサポートで支持した状態、あるいは、中間リーダをリーダサポートで傾斜状態に支持した状態で行えるので、例えばベースマシン上に立った状態で作業することが可能となり、危険な高所作業が不要となる。
【発明を実施するための最良の形態】
【００１１】
図１乃至図１２は、本発明の一形態例を示すもので、杭打機のリーダを標準リーダから短尺リーダに組み換える各段階を示す説明図である。
【００１２】
まず、図１は、標準リーダ（長尺リーダ）を備えた杭打機の作業時の状態を示している。この杭打機１１は、クローラを備えた走行部１２と、該走行部１２上に旋回可能に設けられたベースマシン１３と、該ベースマシン１３の前部に起伏可能に設けられた標準リーダ１４と、該標準リーダ１４を後方から支持する長尺リーダ用の起伏シリンダ１５とを備えており、ベースマシン１３の前方上部には、リーダ支持フレーム１６と、起伏シリンダ１５の基部が回動可能に取り付けられるシリンダ装着部１７と、油圧配管を支持する配管支持部材１８とが設けられている。
【００１３】
前記標準リーダ１４は、ベースマシン１３の前部に取り付けられた下部リーダ２１と、該下部リーダ２１の上部に連結されるとともに前記リーダ支持フレーム１６に回動可能に軸支された中間リーダ２２と、該中間リーダ２２の上部に連結された上部リーダ２３とに分割形成され、さらに上部リーダ２３は、上部第１リーダ部材２３ａ、上部第２リーダ部材２３ｂ、上部第３リーダ部材２３ｃ、上部第４リーダ部材２３ｄ及び上部第５リーダ部材２３ｅの５部材に分割形成されている。これらの各リーダ（リーダ部材）は、それぞれボルト・ナットを使用したフランジ結合によって着脱可能に連結されている。
【００１４】
起伏シリンダ１５のシリンダロッドと上部リーダ２３とは、上部第４リーダ部材２３ｄに設けられたシリンダブラケット２４に接続ピンを介して回動可能に連結されている。また、上部第１リーダ部材２３ａの上端部にはトップシーブ２５が、下部リーダ２１の下端部にはロアガイド２６がそれぞれ装着されており、下部リーダ２１、中間リーダ２２及び上部リーダ２３の前面にはオーガ駆動装置２７が昇降可能に装着されている。杭打機１１は、この状態でオーガ駆動装置２７を昇降させることにより、標準的な長さの杭を施工する。
【００１５】
この標準リーダ仕様の杭打機１１に設けられている前記標準リーダ１４を短尺リーダ３１（図８乃至図１２参照）に組み換えて杭打機１１を短尺仕様に変更するには、まず、杭打機１１を輸送状態とする。すなわち、リーダ支持フレーム１６と下部リーダ２１とをリンク２８で係合した状態で、オーガ駆動装置２７を下部リーダ２１の前方位置まで下降させた後、下部リーダ２１と中間リーダ２２との連結状態を解除し、起伏シリンダ１５を短縮させて標準リーダ１４を起伏シリンダ１５とともにベースマシン１３上に倒伏させて図２に示す状態とする。
【００１６】
この図２に示す状態で、起伏シリンダ１５に連結されている上部第４リーダ部材２３ｄより上方の上部第１リーダ部材２３ａ、上部第２リーダ部材２３ｂ、上部第３リーダ部材２３ｃを取り外す。このとき、トップシーブ２５，上部第１リーダ部材２３ａ、上部第２リーダ部材２３ｂ、上部第３リーダ部材２３ｃの連結状態を順次解除しながらクレーンで吊り上げて取り外すようにしてもよく、上部第４リーダ部材２３ｄと上部第３リーダ部材２３ｃとの連結状態を解除して上部第３リーダ部材２３ｃより上部をまとめて取り外すようにしてもよく、適当な位置で連結状態を解除して順次取り外すようにしてもよい。
【００１７】
上部第４リーダ部材２３ｄより上方の部材を取り外した後、図３に示すように、起伏シリンダ１５を伸張して上部リーダ２３（上部第４リーダ部材２３ｄ及び上部第５リーダ部材２３ｅ）を起立状態とし、ベースマシン１３の上方空間を開放し、ベースマシン１３上の所定位置にシリンダサポート３２を設置する。このとき、上部リーダ２３は完全な起立状態としなくてもよく、起伏シリンダ１５や上部リーダ２３がシリンダサポート３２の設置に悪影響を及ぼさない程度までとしてもよい。
【００１８】
シリンダサポート３２は、起伏シリンダ１５の傾斜角度に対応した角度を有するシリンダ受部３２ａと、これを所定高さに保持する複数の脚部３２ｂとからなるものであって、脚部３２ｂがベースマシン１３の上面に、ボルト結合、凹凸嵌合等の適宜な固定手段によって固定される。このシリンダサポート３２の形状は、標準リーダ用の起伏シリンダ１５及び短尺リーダ用の起伏シリンダ３３（図７以下参照）を所定角度で支持できればよく、ベースマシン１３の上面状態等に応じて任意に設定することができる。
【００１９】
次に、起伏シリンダ１５を短縮させて起伏シリンダ１５と共に連結状態の中間リーダ２２及び上部リーダ２３をベースマシン１３の上方に倒伏させ、図４に示すように、シリンダサポート３２が起伏シリンダ１５を受ける状態になるまで起伏シリンダ１５を短縮させ、中間長さまで短縮した状態の起伏シリンダ１５をシリンダサポート３２にて支持させる。
【００２０】
このように連結状態の中間リーダ２２及び上部リーダ２３を倒伏方向に回動させることによって中間リーダ２２の下端部から分離した下部リーダ２１の上端部に中間リーダ２２を傾斜状態で支持するリーダサポート３４を取り付ける。このリーダサポート３４は、下部リーダ２１の上端部及び中間リーダ２２の下端部にそれぞれ連結される一対の連結面３４ａ，３４ａを連結部材３４ｂにて所定角度に保持したものであって、両連結面を３４ａ，３４ａには、下部リーダ２１の上端部及び中間リーダ２２の下端部に対応したフランジが設けられ、リーダ同士の連結と同様にしてフランジ結合するように形成されている。
【００２１】
両連結面を３４ａ，３４ａの角度、すなわち、リーダサポート３４を介して連結した下部リーダ２１と中間リーダ２２との角度は任意であるが、リーダサポート３４を介して下部リーダ２１により中間リーダ２２を傾斜状態で支持したときに、起伏シリンダ１５と上部リーダ２３とを連結する接続ピンを、ベースマシン１３の上面に乗った作業員が着脱できる程度の高さに設定しておくことが望ましい。
【００２２】
次に、連結状態の中間リーダ２２及び上部リーダ２３を吊り上げた状態で起伏シリンダ１５と上部リーダ２３との連結を解除し、さらに、連結状態の中間リーダ２２及び上部リーダ２３を起立方向に回動させて中間リーダ２２の下端部とリーダサポート３４とを当接させて両者を連結する。これにより、図５に示すように、起伏シリンダ１５から分離した中間リーダ２２及び上部リーダ２３が、リーダサポート３４を介して下部リーダ２１により所定角度傾斜した姿勢で支持された状態となる。連結状態の中間リーダ２２及び上部リーダ２３の吊り上げ位置は任意であるが、次の段階で上部リーダ２３を取り外す作業を考慮すると、上部リーダ２３を吊り上げる状態とすることが好ましい。
【００２３】
そして、図６に示すように、中間リーダ２２と上部リーダ２３との連結を解除し、上部リーダ２３を吊り上げて取り外す。このとき、上部第４リーダ部材２３ｄ及び上部第５リーダ部材２３ｅを連結状態のまま同時に取り外すことが好ましいが、両リーダ部材２３ｄ，２３ｅの連結を解除して上部第４リーダ部材２３ｄから順に取り外すこともできる。
【００２４】
上述の各段階を終えることにより、杭打機１１は、標準リーダ１４を構成する上部リーダ２３の全てが取り外された状態となる。これにより、起伏シリンダ１５の上方が開放された状態になるので、起伏シリンダ１５を吊り上げてベースマシン１３から取り外し、別の仕様、すなわち、短尺リーダ用の起伏シリンダ３３を吊り込んで、図７に示すように、基部をシリンダ装着部１７に連結してベースマシン１３に取り付けるとともに、先端部をシリンダサポート３２に支持させた状態とする。
【００２５】
さらに、図８に示すように、別の仕様、すなわち、短尺リーダ３１を構成する上部リーダ３５を吊り込んで中間リーダ２２に連結する。このとき、上部リーダ３５の上端部には、あらかじめトップシーブ２５を装着しておくことが好ましい。さらに、連結された状態となった中間リーダ２２及び上部リーダ３５を吊り上げた状態で中間リーダ２２の下端部とリーダサポート３４との連結を解除し、図９に示すように、連結状態の中間リーダ２２及び上部リーダ３５を倒伏方向に回動させる。
【００２６】
そして、図１０に示すように、起伏シリンダ３３のシリンダロッドを伸縮させて位置合わせを行い、上部リーダ３５に設けられているシリンダブラケット３６に接続ピンを介してロッド先端を連結し、中間リーダ２２及び上部リーダ３５を起伏シリンダ３３で保持した状態とし、下部リーダ２１の上端部とリーダサポート３４との連結を解除し、リーダサポート３４を吊り上げて下部リーダ２１の上端部から取り外す。
【００２７】
最後に、図１１に示すように、起伏シリンダ３３を伸張させて連結状態の中間リーダ２２及び上部リーダ３５を起立させ、シリンダサポート３２を吊り上げてベースマシン１３上から取り外す。そして、図１２に示すように、起伏シリンダ３３を短縮させて該起伏シリンダ３３と共に連結状態の中間リーダ２２及び上部リーダ３５をベースマシン１３上に倒伏させることにより、下部リーダ２１、中間リーダ２２及び短尺の上部リーダ３５からなる短尺リーダを備えた短尺仕様の杭打機の輸送状態となる。この状態から起伏シリンダ３３を伸張させて中間リーダ２２及び上部リーダ３５を下部リーダ２１の上方に起立させ、下部リーダ２１と中間リーダ２２とを連結することによって短尺の杭を施工する作業状態となる。
【００２８】
短尺の上部リーダ３５を備えた短尺仕様の杭打機を、図１に示す長尺の上部リーダ２３を備えた標準仕様の杭打機に組み換える際には、上記各段階を逆に行えばよい。
【００２９】
図１３乃至図１７は、本発明の他の形態例を示すもので、前記短尺仕様の上部リーダ３５よりもさらに短い上部リーダ４１を組み付ける各段階を示す説明図である。
【００３０】
まず、組み換え前にベースマシン１３に取り付けられていた上部リーダの取り外し及び起伏シリンダの交換までは、前記形態例と同様にして行い、前記図７の状態とする。なお、短尺の上部リーダ３５から、より短尺の上部リーダ４１に組み換える際には、起伏シリンダは、短尺仕様の起伏シリンダ３３をそのまま使用できるので、起伏シリンダを交換する必要はない。
【００３１】
図７に示す状態とした後、図１３に示すように、前記上部リーダ３５より更に短尺の上部リーダ４１を吊り込んで中間リーダ２２に連結する。これにより、上部リーダ４１は、リーダサポート３４により、中間リーダ２２と共に傾斜状態で支持された状態となる。次に、図１４に示すように、起伏シリンダ３３のシリンダ上部を吊り上げて起立方向に回動させるとともに、シリンダロッドを伸縮させて位置合わせを行い、上部リーダ４１に設けられているシリンダブラケット４２に接続ピンを介してロッド先端を連結する。
【００３２】
次に、図１５に示すように、シリンダサポート３２を吊り上げてベースマシン１３上から取り外すとともに、中間リーダ２２の下端部とリーダサポート３４との連結を解除する。このとき、連結状態の中間リーダ２２及び上部リーダ４１は、起伏シリンダ３３によって傾斜状態に支持されている。
【００３３】
そして、図１６に示すように、起伏シリンダ３３を短縮させ、該起伏シリンダ３３と共に連結状態の中間リーダ２２及び上部リーダ４１を回動させてベースマシン１３上に倒伏させた後、下部リーダ２１の上端部とリーダサポート３４との連結を解除し、リーダサポート３４を吊り上げて下部リーダ２１の上端部から取り外す。これにより、下部リーダ２１、中間リーダ２２及び上部リーダ４１からなる短尺リーダを備えた短尺仕様の杭打機の輸送状態となる。この短尺仕様の杭打機も、図１７に示すように、起伏シリンダ３３を伸張させて中間リーダ２２及び上部リーダ４１を下部リーダ２１の上方に起立させて連結することにより、作業状態とすることができる。
【００３４】
本形態例では、上部リーダ４１が短くて、その下方に位置する起伏シリンダ３３をクレーンで吊り上げて回動させることが可能なため、起伏シリンダ３３と上部リーダ４１との連結や解結を行う際に、起伏シリンダ３３を回動させて行っている。このような短尺の上部リーダ４１を、標準リーダ１１あるいは前述の短尺の上部リーダ３５に組み換える際には、この手順を逆に行えばよい。
【図面の簡単な説明】
【００３５】
【図１】標準リーダを備えた杭打機の正面図である。
【図２】標準リーダを輸送状態として上部リーダの一部を取り外した段階を示す正面図である。
【図３】ベースマシン上にシリンダサポートを設置した段階を示す正面図である。
【図４】起伏シリンダをシリンダサポートにて支持し、下部リーダにリーダサポートを取り付けた段階を示す正面図である。
【図５】起伏シリンダと上部リーダとの連結を解除した段階を示す正面図である。
【図６】中間リーダから上部リーダを取り外した段階を示す正面図である。
【図７】起伏シリンダを短尺リーダ用の起伏シリンダに交換した段階を示す正面図である。
【図８】短尺の上部リーダを連結した段階を示す正面図である。
【図９】中間リーダとリーダサポートとの連結を解除して倒伏方向に回動させた段階を示す正面図である。
【図１０】起伏シリンダと上部リーダとを連結し、下部リーダからリーダサポートを取り外した段階を示す正面図である。
【図１１】シリンダサポートをベースマシン上から取り外した段階を示す正面図である。
【図１２】短尺仕様のリーダを備えた杭打機の輸送状態を示す正面図である。
【図１３】短尺の上部リーダを連結した段階を示す正面図である。
【図１４】起伏シリンダと上部リーダとを連結した段階を示す正面図である。
【図１５】シリンダサポートをベースマシン上から取り外した段階を示す正面図である。
【図１６】下部リーダからリーダサポートを取り外した段階を示す正面図である。
【図１７】短尺仕様のリーダを備えた杭打機の作業状態を示す正面図である。
【符号の説明】
【００３６】
１１…杭打機、１２…走行部、１３…ベースマシン、１４…標準リーダ、１５…起伏シリンダ、１６…リーダ支持フレーム、１７…シリンダ装着部、１８…配管支持部材、２１…下部リーダ、２２…中間リーダ、２３…上部リーダ、２３ａ…上部第１リーダ部材、２３ｂ…上部第２リーダ部材、２３ｃ…上部第３リーダ部材、２３ｄ…上部第４リーダ部材、２３ｅ…上部第５リーダ部材、２４…シリンダブラケット、２５…トップシーブ、２６…ロアガイド、２７…オーガ駆動装置、２８…リンク、３１…短尺リーダ、３２…シリンダサポート、３２ａ…シリンダ受部、３２ｂ…脚部、３３…起伏シリンダ、３４…リーダサポート、３４ａ…連結面、３４ｂ…連結部材、３５…上部リーダ、３６…シリンダブラケット、４１…上部リーダ、４２…シリンダブラケット
【図１】
0004719573.tif 000002
【図２】
0004719573.tif 000003
【図３】
0004719573.tif 000004
【図４】
0004719573.tif 000005
【図５】
0004719573.tif 000006
【図６】
0004719573.tif 000007
【図７】
0004719573.tif 000008
【図８】
0004719573.tif 000009
【図９】
0004719573.tif 000010
【図１０】
0004719573.tif 000011
【図１１】
0004719573.tif 000012
【図１２】
0004719573.tif 000013
【図１３】
0004719573.tif 000014
【図１４】
0004719573.tif 000015
【図１５】
0004719573.tif 000016
【図１６】
0004719573.tif 000017
【図１７】
0004719573.tif 000018